(57)【要約】携帯電子装置はメモリ、送信器およびコントローラを含むことができる。メモリは画像データを携帯電子装置内に格納するように構成することができ、送信器は遠隔電子表示装置との無線リンクを提供するように構成することができる。コントローラはメモリおよび送信器と接続することができる。さらに、コントローラは画像データをインターネット・プロトコル形式で提供するように構成することができ、送信器は画像データを、無線リンクを介してインターネット・プロトコル形式で送信するように構成することができる。関係する表示装置および方法も説明される。
2007531391.tif 000002
【特許請求の範囲】
【請求項１】
携帯電子装置であって、
前記携帯電子装置内に画像データを格納するように構成されたメモリと、
遠隔電子表示装置との無線リンクを提供するように構成された送信器と、
前記メモリ及び前記送信器と結合されたコントローラとを備え、
前記コントローラが、前記画像データをインターネット・プロトコル形式で提供するように構成され、
前記送信器が、前記無線リンクを介して前記インターネット・プロトコル形式で前記画像データを送信するように構成されている
ことを特徴とする携帯電子装置。
【請求項２】
前記コントローラと結合され、ポインタ・コマンドのユーザ入力を受け付けるように構成されたユーザ・インタフェースを更に備え、
前記コントローラおよび前記送信器が、前記ポインタ・コマンドを、前記無線リンクを介して前記遠隔電子表示装置に送信するように構成されていることを特徴とする請求項１に記載の携帯電子装置。
【請求項３】
前記ポインタ・コマンドが、前記インターネット・プロトコル形式で送信されることを特徴とする請求項２に記載の携帯電子装置。
【請求項４】
前記ポインタ・コマンドが、前記インターネット・プロトコル形式以外の形式で送信されることを特徴とする請求項２に記載の携帯電子装置。
【請求項５】
前記送信器が、短距離送信器を含み、
前記携帯電子装置が、長距離通信を提供するように構成された長距離トランシーバをさらに備えることを特徴とする請求項１に記載の携帯電子装置。
【請求項６】
前記送信器が、ＷｉＦｉ規格、Ｂｌｕｅｔｏｏｔｈ規格、および、赤外線規格の少なくとも１つによる無線リンクを提供するように構成されていることを特徴とする請求項１に記載の携帯電子装置。
【請求項７】
前記インターネット・プロトコル形式が、ＨＴＭＬおよびＸＭＬの少なくとも１つを含むことを特徴とする請求項１に記載の携帯電子装置。
【請求項８】
前記コントローラが、コンタクトデータベース、カレンダ、電子メール送信器または受信器、ディジタル音楽プレーヤ、仕事のリスト、および、無線インターネットブラウザの少なくとも１つをさらに提供することを特徴とする請求項１に記載の携帯電子装置。
【請求項９】
前記画像データが、スライドによるプレゼンテーションのデータを含むことを特徴とする請求項１に記載の携帯電子装置。
【請求項１０】
電子表示装置であって、
電子データを表示するように構成された表示器と、
画像データとポインタ・コマンドとを、携帯電子装置との有線結合を経ずに該携帯電子装置から受信するように構成されたインターネット・プロトコル・ブラウザと
を備え、
前記画像データが、前記インターネット・プロトコル・ブラウザにおいてインターネット・プロトコル形式で受信され、
前記インターネット・プロトコル・ブラウザが、前記携帯電子装置からの前記ポインタ・コマンドに応じて、前記表示器を利用し、前記画像データを視覚的に提供するように構成されている
ことを特徴とする電子表示装置。
【請求項１１】
前記表示器が、モニタおよびプロジェクタの少なくとも１つを含むことを特徴とする請求項１０に記載の電子表示装置。
【請求項１２】
前記ポインタ・コマンドが、前記インターネット・プロトコル・ブラウザにおいて前記インターネット・プロトコル形式で受信されることを特徴とする請求項１０に記載の電子表示装置。
【請求項１３】
前記ポインタ・コマンドが、前記インターネット・プロトコル・ブラウザにおいて前記インターネット・プロトコル形式以外の形式で受信されることを特徴とする請求項１０に記載の電子表示装置。
【請求項１４】
前記インターネット・プロトコル形式が、ＨＴＭＬおよびＸＭＬの少なくとも１つを含むことを特徴とする請求項１０に記載の電子表示装置。
【請求項１５】
前記画像データが、スライドによるプレゼンテーションのデータを含むことを特徴とする請求項１０に記載の電子表示装置。
【請求項１６】
携帯電子装置を利用して視覚的プレゼンテーションを提供する方法であって、
画像データを前記携帯電子装置内に格納する工程と、
前記画像データをインターネット・プロトコル形式で提供する工程と、
前記画像データを、無線リンクを介して遠隔電子表示装置に前記インターネット・プロトコル形式で送信する工程と、
を備えることを特徴とする方法。
【請求項１７】
ポインタ・コマンドのユーザ入力を受け付ける工程と、
前記ポインタ・コマンドを、前記無線リンクを介して前記遠隔電子表示装置に送信する工程と
をさらに備えることを特徴とする請求項１６に記載の方法。
【請求項１８】
前記ポインタ・コマンドが、前記インターネット・プロトコル形式で送信されることを特徴とする請求項１７に記載の方法。
【請求項１９】
前記ポインタ・コマンドが、前記インターネット・プロトコル形式以外の形式で送信されることを特徴とする請求項１７に記載の方法。
【請求項２０】
前記画像データが、短距離プロトコルを利用して送信され、
前記方法は、長距離無線通信を提供する工程を更に備えることを特徴とする請求項１６に記載の方法。
【請求項２１】
前記画像データを送信する工程が、ＷｉＦｉ規格、Ｂｌｕｅｔｏｏｔｈ規格、および、赤外線規格の少なくとも１つを使用して前記画像データを送信する工程を含むことを特徴とする請求項１６に記載の方法。
【請求項２２】
前記インターネット・プロトコル形式が、ＨＴＭＬおよびＸＭＬの少なくとも１つを含むことを特徴とする請求項１６に記載の方法。
【請求項２３】
コンタクトデータベース、カレンダ、電子メール送信器または受信器、ディジタル音楽プレーヤ、仕事のリスト、および、無線インターネットブラウザの少なくとも１つを提供する工程を更に備えることを特徴とする請求項１６に記載の方法。
【請求項２４】
前記画像データが、スライドによるプレゼンテーションのデータを含むことを特徴とする請求項１６に記載の方法。
【請求項２５】
電子表示装置を動作させる方法であって、
画像データとポインタ・コマンドとを、携帯電子装置との有線結合を経ずに該携帯電子装置からインターネット・プロトコル形式で受信する工程と、
前記ポインタ・コマンドに応じて、前記画像データを視覚的に提供する工程と
を備えることを特徴とする方法。
【請求項２６】
前記画像データを提供する工程が、モニタおよびプロジェクタの少なくとも１つを利用して前記画像データを提供する工程を含むことを特徴とする請求項２５に記載の方法。
【請求項２７】
前記ポインタ・コマンドが、インターネット・プロトコル・ブラウザにおいて前記インターネット・プロトコル形式で受信されることを特徴とする請求項２５に記載の方法。
【請求項２８】
前記ポインタ・コマンドが、インターネット・プロトコル・ブラウザにおいて前記インターネット・プロトコル形式以外の形式で受信されることを特徴とする請求項２５に記載の方法。
【請求項２９】
前記インターネット・プロトコル形式が、ＨＴＭＬおよびＸＭＬの少なくとも１つを含むことを特徴とする請求項２５に記載の方法。
【請求項３０】
前記画像データがスライドによるプレゼンテーションのデータを含むことを特徴とする請求項２５に記載の方法。
【発明の詳細な説明】
【技術分野】
【０００１】
本発明は電子機器の分野に関し、より詳細には情報を表示するための方法、装置およびシステムに関連する。
【背景技術】
【０００２】
無線電話機やＰＤＡ（パーソナル・ディジタル・アシスタント）のような多くの携帯電子装置がさらに小さくなり続ける一方、さらに大量情報の表示に対する要求が増えている。
【発明の開示】
【発明が解決しようとする課題】
【０００３】
従って、より大きな表示器に対する需要が、一層小さな携帯電子装置に対する需要と対立する可能性がある。例えば、セル方式通信におけるテキストメッセージの使用の増加は、この情報の利用や参照を容易にするための更に大きな移動端末表示装置の需要を高める可能性がある。さらに、携帯電子装置において提供されるデータサービスの増加は、同時に複数の人間による閲覧を容易にするための更に大きな移動端末表示装置の需要を高める可能性がある。
【課題を解決するための手段】
【０００４】
本発明の実施形態によれば、携帯電子装置はメモリ、送信器およびコントローラを含むことができる。メモリは画像データを携帯電子装置内に格納するように構成され、送信器は遠隔電子表示装置との無線リンクを提供するように構成される。コントローラはメモリおよび送信器と接続される。さらに、コントローラは画像データをインターネット・プロトコル形式で提供するように構成され、送信器は画像データを、無線リンクを介してインターネット・プロトコル形式で送信するように構成される。
【０００５】
さらに、ユーザ・インタフェースはコントローラと結合され、ユーザ・インタフェースはポインタ・コマンドのユーザ入力を受け付けるように構成され、コントローラおよび送信器はポインタ・コマンドを、無線リンクを介して遠隔電子表示装置に送信するように構成される。ポインタ・コマンドは、インターネット・プロトコル形式、、あるいは、インターネット・プロトコル形式以外の形式で送信することができる。さらに、送信器は短距離送信器であってもよい。携帯電子装置はまた、無線電話通信およびパケット交換データ通信の少なくともいずれかのような、長距離通信を提供するように構成された長距離トランシーバを含んでいてもよい。
【０００６】
送信器は、ＷｉＦｉ規格、Ｂｌｕｅｔｏｏｔｈ規格および赤外線規格の少なくともいずれかによる無線リンクを提供するように構成されていてもよい。インターネット・プロトコル形式は、ＨＴＭＬおよびＸＭＬの少なくともいずれかであってもよい。コントローラはまた、コンタクトデータベース、カレンダ、電子メール送信器または受信器、ディジタル音楽プレーヤ、仕事のリスト、および、無線インターネットブラウザの少なくともいずれかを含んでいてもよく、画像データはスライドのプレゼンテーションを含んでいてもよい。
【０００７】
本発明の追加の実施形態によれば、電子表示装置は、表示器とインターネット・プロトコル・ブラウザを含むことができる。表示器は、電子データを表示するように構成される。インターネット・プロトコル・ブラウザは、携帯電子装置との有線結合を経ずに該携帯電子装置から画像データとポインタ・コマンドを受信するように構成される。画像データは、インターネット・プロトコル・ブラウザにおいてインターネット・プロトコル形式で受信され、インターネット・プロトコル・ブラウザは、表示器を利用し、携帯電子装置からのポインタ・コマンドに応じて画像データを視覚的に提供するように構成されている。より詳細には、表示器はモニタまたはプロジェクタであってもよい。
【０００８】
さらに、ポインタ・コマンドはインターネット・プロトコル・ブラウザにおいて、インターネット・プロトコル形式、あるいは、インターネット・プロトコル形式以外の形式で受信されてもよい。さらに、インターネット・プロトコル形式はＨＴＭＬおよびＸＭＬの少なくともいずれかであってもよく、画像データはスライドのプレゼンテーションであってもよい。
【０００９】
本発明のさらなる追加の実施形態によれば、携帯電子装置を使用して視覚的プレゼンテーションを提供する方法は、画像データを携帯電子装置内に格納する工程を含む。画像データはインターネット・プロトコル形式で提供され、画像データは無線リンクを介して遠隔電子表示装置にインターネット・プロトコル形式で送信される。
【００１０】
さらに、ポインタ・コマンドのユーザ入力を受け付けることができ、ポインタ・コマンドは、無線リンクを介して遠隔電子表示装置に送信することができる。ポインタ・コマンドは、インターネット・プロトコル形式、あるいは、インターネット・プロトコル形式以外の形式で送信することができる。
【００１１】
画像データは、短距離プロトコルを使用して送信され、長距離無線通信を利用してもよい。より詳細には、長距離無線通信の提供には、無線電話通信およびパケット交換通信の少なくともいずれかの提供が含まれてもよい。さらに、画像データの送信には、ＷｉＦｉ規格、Ｂｌｕｅｔｏｏｔｈ規格、および、赤外線規格の少なくとも１つを利用した画像データの送信が含まれてもよく、インターネット・プロトコル形式はＨＴＭＬおよびＸＭＬの少なくともいずれかであってもよい。
【００１２】
コンタクトデータベース、カレンダ、電子メール送信器または受信器、ディジタル音楽プレーヤ、仕事のリスト、および、無線インターネットブラウザの少なくとも１つが提供されてもよく、画像データはスライドのプレゼンテーションであってもよい。
【００１３】
本発明のさらなる追加の実施形態によれば、電子表示装置を動作させる方法は、携帯電子装置との有線結合を経ずに該携帯電子装置から画像データとポインタ・コマンドを受信する工程を含むことができる。さらに、画像データはインターネット・プロトコル形式で受信され、ポインタ・コマンドに反応して視覚的に提供される。
【００１４】
より詳細には、画像データは、モニタおよびプロジェクタの少なくとも１つを使用して提供されてもよく、ポインタ・コマンドはインターネット・プロトコル・ブラウザにおいて、インターネット・プロトコル形式、または、インターネット・プロトコル形式以外の形式で受信することができる。インターネット・プロトコル形式は、ＨＴＭＬおよびＸＭＬの少なくともいずれかであってもよく、画像データはスライドのプレゼンテーションを含んでいてもよい。
【発明を実施するための最良の形態】
【００１５】
以下において、本発明の実施形態を示す添付の図面を参照して、本発明をより詳細に記述する。しかしながら、本発明は、ここで説明する実施形態のみに限定されるものとして解釈されるべきではない。むしろ、これらの実施形態は、本開示が完璧かつ完全となるように、また当業者に本発明の範囲を十分に伝えるように提供されている。全体を通じて、類似の番号は類似の要素を指す。
【００１６】
当業者により理解されるように、本発明は方法あるいは装置として実施することができる。従って、本発明はハードウエアの実施形態、ソフトウエアの実施形態あるいはソフトウエアとハードウエアとの態様を組み合わせた実施形態を採ることができる。また、ある要素が別の要素に「接続」または「結合」されていると言うとき、その別の要素に直接に接続、または結合されていても、介在要素が存在していてもよいことを理解されたい。これに対して、ある要素が別の要素に「直接接続」または「直接結合」されていると言うとき、介在要素は存在しない。本明細書で使用される「・・・および・・・の少なくともいずれか」との表現は、１つ以上の関連する記載された項目のいずれかと、それらのあらゆる組み合わせとを含む概念である。
【００１７】
（無線電話機あるいはＰＤＡのような）携帯電子装置の表示器は、画像データを携帯電子装置のユーザに提供するために使用することができる。無線電話機では、例えば無線電話機本体の表示器には、ダイヤルされる電話番号、発呼者の電話番号（発呼者識別）、無線電話機に格納される電子アドレス帳の情報、カレンダ情報、電子メール、テキストメッセージ、電子ゲームの画面、写真、画像、ビデオクリップ、インターネットのページ、などを表示することができる。しかしながら、携帯電子装置の表示器のサイズは電子装置のサイズにより制限されることがある。従って、画像データの中には、携帯電子装置に代表的に設けられる比較的小さな表示器では閲覧が困難なものもある。
【００１８】
さらに、携帯電子装置の機能は、その処理能力の増大と共に拡大し続けるものである。例えば、ワードプロセッサ、スプレッドシートおよびプレゼンテーション機能は、携帯電子装置上で提供することができる。より詳細には、スライドプレゼンテーション機能はマイクロソフト社により提供されるパワーポイント（商標登録）のようなソフトウエアを使用して携帯電子装置上で提供することができる。
【００１９】
本発明の実施形態によれば、（スライドプレゼンテーションのような）画像データは、携帯電子装置の表示器上で表示することができる。さらに、あるいは別の場合には、（スライドプレゼンテーションのような）画像データはインターネット・プロトコル形式で無線リンクを介してより大きな表示器を備える電子表示装置のインターネット・プロトコル・ブラウザに送信することができる。例えば、電子表示装置はインターネット・プロトコル・ブラウザを含むテレビジョン、モニタ、パーソナルコンピュータおよびプロジェクタの少なくともいずれかであってもよい。さらに、電子表示装置は、携帯電子装置で利用可能な表示器よりも大きな表示器を提供することができる。
【００２０】
携帯電子装置間の無線リンクは、例えばＷｉＦｉ規格（８０２．１１規格による）、赤外線規格、および、Ｂｌｕｅｔｏｏｔｈ規格の少なくともいずれかのような短距離通信規格を使用して提供することができる。Ｂｌｕｅｔｏｏｔｈ規格は、例えばセレシュ  ラーティにより「専用システム・マガジン」の２０００年第４四半期号、２８から３３ページの「Ｂｌｕｅｔｏｏｔｈプロトコル構造」という題名の論文(Sailesh Rathi in the reference entitled "BlueTooth Protocol Architecture" from Dedicated Systems Magazine, 2000, Q4, pages 28-33.)において議論されている。短距離通信規格については、２００３年９月４日出願の米国特許出願第１０／６５５、４２２号で説明されており、本発明の譲受人に譲渡されている。
【００２１】
図１に示すように、本発明の実施形態に係るシステム、方法および装置は、（無線電話機およびＰＤＡの少なくともいずれかような）携帯電子装置１０１と、モニタおよびプロジェクタの少なくともいずれかのような電子表示装置１０３とを含むことができる。より詳細には、携帯電子装置１０１は、コントローラ１１１、ユーザ・インタフェース１１３、（送信器１１９および受信器１２１を含む）短距離トランシーバ１１５、メモリ１２３、および、長距離トランシーバ１１７を含むことができる。電子表示装置１０３は、（モニタおよびプロジェクタの少なくともいずれかのような）表示器１３１、インターネット・プロトコル・ブラウザ１３３、無線アクセスポイント１３５、ユーザ入力装置１３７、および、コントローラ１３９を含むことができる。
【００２２】
以上に説明するように、携帯電子装置１０１は、ＰＤＡおよび無線電話機の少なくともいずれかであってもよい。さらに、ユーザ・インタフェース１１３はキーパッド、（液晶表示器のような）表示器、タッチパネル、ダイヤル、スピーカ、方向キー、および、マイクロフォンの少なくともいずれかを含むことができる。従来の無線電話機の動作によれば、音声データはユーザ・インタフェース１１３のマイクロフォンから受信され、コントローラ１１１を通じて処理され、長距離トランシーバ１１７を使用して無線電話ネットワークに送信することができる。同様に、音声データは長距離トランシーバ１１７を使用して無線電話ネットワークから受信され、コントローラ１１１を通じて処理され、ユーザ・インタフェース１１３のスピーカを使用して再生することができる。さらに、あるいは、別の場合には、長距離送信器は、通信ネットワークにより汎用パケット無線サービス（ＧＰＲＳ）のようなパケット交換データサービス通信を提供することができる。
【００２３】
さらに、あるいは、別の場合には、携帯電子装置１０１はＰＤＡの機能を提供することができる。例えば、コントローラ１１１は、ユーザ・インタフェース１１３から入力を受信し、ユーザ・インタフェース１１３に出力を提供することにより、コンタクトデータベース、カレンダ、電子メール送信器または受信器、ディジタル音楽プレーヤ、仕事のリスト、インターネットブラウザ、ワードプロセッサ、スプレッドシート、ＰＤＦファイルビュアおよび（マイクロソフト社のパワーポイント（登録商標）のような）プレゼンテーションアプリケーションのような１つ以上のアプリケーションを動作させることができる。従って、携帯電子装置１０１は、（無線電話およびパケット交換通信の少なくともいずれかのような）長距離通信、および、ＰＤＡの機能の両方を提供することができる。携帯電子装置１０１はまた、長距離通信の提供を除く（この場合長距離トランシーバ１１７は省略することができる）、ＰＤＡの機能を提供することができる。
【００２４】
電子表示装置１０３は、内部にインターネット・プロトコル・ブラウザ１３３を含む、プロジェクタ、モニタ、あるいは、テレビジョンのような独立の表示装置であってもよい。電子表示装置１０３はまた、パーソナルコンピュータ、あるいは、ノートブックコンピュータのようなコンピュータ装置のコンポーネントとして含まれていてもよい。ある実施形態では、電子表示装置１０３は、携帯電子装置から受信される画像データ、（パーソナルコンピュータおよびノートブックコンピュータの少なくともいずれかのような）コンピュータから受信される画像データ、電子表示装置に格納された画像データと、ＬＡＮ（ローカル・エリア・ネットワーク）、ＷＡＮ（ワイド・エリア・ネットワーク）およびインターネットの少なくともいずれかのようなネットワーク１４１を介して受信される画像データと、の少なくともいずれかを表示するために使用することができる。例えば、ネットワーク１４１を介して受信される画像データを表示する場合、インターネット・プロトコル・ブラウザ１３３は、電子表示装置１０３に付属する（マウス、ジョイスティック、トラックボール、方向キー、タッチパッド、タッチパネルなどのポインティング・デバイスでありうる）ユーザ入力装置１３７からの入力に基づき、コントローラ１３９の指揮下においてネットワーク１４１を通じてサーバに問い合わせることができる。コンピュータから受信される画像データを表示する場合、コントローラ１３９は画像データを供給するコンピュータと直接結合することができる。インターネット画像プロジェクタについては、例えば米国特許出願公開第２００２／０１７５９１５号明細書で説明されている。
【００２５】
携帯電子装置１０１からのデータを表示する場合、無線リンク１２５を、携帯電子装置１０１の短距離トランシーバ１１５と、電子表示装置１０３のアクセスポイント１３５との間で確立することができる。無線リンク１２５は、例えば（ＩＥＥＥ８０２．１１規格による）ＷｉＦｉ規格、Ｂｌｕｅｔｏｏｔｈ規格、および、赤外線規格の１つ以上を使用して提供することができる。さらに、無線リンク１２５は、同一あるいは異なる通信規格により提供される１つ以上の無線リンクを含むことができる。従って、短距離トランシーバ１１５およびアクセスポイント１３５は、それぞれ同一あるいは異なる通信規格により動作する複数の送信器および受信器を含むことができる。
【００２６】
例えば、無線リンク１２５は２つのサブリンクを含むことができ、１つのサブリンクはＢｌｕｅｔｏｏｔｈ規格により提供され、他のサブリンクはＷｉＦｉ規格により提供されてもよい。あるいは、無線リンク１２５は、Ｂｌｕｅｔｏｏｔｈ規格により提供される１つのサブリンクと、赤外線規格により提供される他のサブリンクとを含んでいてもよい。さらに別の場合には、無線リンク１２５は、ＷｉＦｉ規格により提供される１つのサブリンクと、赤外線規格により提供される他のサブリンクとを含んでいてもよい。
【００２７】
画像データは、携帯電子装置１０１のメモリ１２３に格納することができ、コントローラ１１１は、画像データをインターネット・プロトコル形式で送信器１１９により無線リンク１２５を介して電子表示装置１０３のアクセスポイント１３５に提供するように構成することができる。次いで、画像データはインターネット・プロトコル・ブラウザ１３３およびコントローラ１３９により処理され、（ＣＲＴ表示器、液晶表示器、プラズマ表示器およびプロジェクタの少なくともいずれかのような）表示器１３１を利用した閲覧のために提供することができる。
【００２８】
画像データは、携帯電子装置１０１のコントローラ１１１からインターネット・プロトコル・ブラウザ１３３へ、ＨＴＭＬおよびＸＭＬの少なくともいずれかのようなインターネット・プロトコル形式を利用して提供することができる。従って、電子表示装置１０３のインターネット・プロトコル・ブラウザ１３３はクライアントとして動作でき、携帯電子装置１０１のコントローラ１１１はサーバとして動作できる。
【００２９】
さらに、携帯電子装置１０１のユーザ・インタフェース１１３からのユーザ入力は、電子表示装置１０３のインターネット・プロトコル・ブラウザ１３３のポインタ機能を制御するために利用することができる。代表的には、インターネット・プロトコル・ブラウザのポインタ機能はブラウザを含む装置に物理的に付属する（マウス、トラックボール、ジョイスティック、タッチパネル、タッチパッド、方向キー、ダイヤルなどの）ユーザ入力装置を使用して制御される。図１の電子表示装置１０３では、ネットワーク１４１からの画像データを表示する場合、インターネット・プロトコル・ブラウザ１３３のポインタ機能を、ユーザ入力装置１３７から制御することができる。さらに、あるいは別の場合、ネットワーク１４１からのデータを表示する場合、インターネット・プロトコル・ブラウザ１３３のポインタ機能を、ユーザ・インタフェース１１３の指揮下においてコントローラ１１１から制御することができる。
【００３０】
携帯電子装置１０１からの画像データを表示する場合、インターネット・プロトコル・ブラウザ１３３のポインタ機能を、携帯電子装置１０１のユーザ・インタフェース１１３から制御することができる。例えば、ポインタ・コマンドは、ジョイスティック、方向キー、タッチパッド、タッチパネル、ダイヤルなどのユーザ・インタフェース１１３を利用したユーザ入力に応じて、コントローラ１１１で生成することができる。より詳細には、ポインタ・コマンドは、ユーザ・インタフェース１１３におけるユーザ入力に応じてコントローラ１１１で生成され、無線リンク１２５を介してインターネット・プロトコル・ブラウザ１３３に送信され、インターネット・プロトコル・ブラウザ１３３のポインタ機能は、コントローラ１１１からのポインタ・コマンドに応じて起動されてもよい。インターネット・プロトコル・ブラウザ１３３は、画像データをコントローラ１１１から取得し、無線リンク１２５を介してコントローラ１１１から受信したポインタ・コマンドに応じて、該画像データを表示器１３１に提供することができる。
【００３１】
コントローラ１１１からのポインタ・コマンドは、無線リンク１２５を介して送信される画像データのストリームに埋め込むことができる。従って、画像データおよびポインタ・コマンドは、単一の論理データストリームを使用して、例えばＷｉＦｉ規格、Ｂｌｕｅｔｏｏｔｈ規格、および、赤外線規格の少なくともいずれかを使用して送信することができる。Ｂｌｕｅｔｏｏｔｈ規格を使用して画像データを送信する場合、例えばＢｌｕｅｔｏｏｔｈ規格により提供されるヒューマンインタフェース装置（ＨＩＤ）プロファイルを、画像データを伴うポインタ・コマンドを送信するのに利用することができる。ＨＴＭＬおよびＸＭＬの少なくともいずれかのようなインターネット・プロトコル形式を使用する場合、ポインタ・コマンドを任意の無線リンク規格を使用して画像データを送信するのに使用されるデータストリームに埋め込むことができる。あるいは、画像データおよびポインタ・コマンドを、同一あるいは異なる無線リンク規格を使用して提供される異なるデータストリームを使用して送信することができる。
【００３２】
１つの選択肢として、コントローラ１１１は、ポインタをアプリケーション内でユーザ・インタフェース１１３の指揮の下に移動させ、ポインタ・コマンドを電子表示装置１０３に転送することなく画像全体を電子表示装置１０３に転送することができる。第２の選択肢として、コントローラ１１１は、ポインタをアプリケーション内でユーザ・インタフェース１３７の指揮の下に移動させ、ポインタ・コマンドを電子表示装置１０３に転送することなく画像全体を電子表示装置１０３に転送することができる。従って、ポインタ・コマンドは電子表示装置１０３から携帯電子装置１０１に転送されてもよい。第３の選択肢として、コントローラ１１１は、ポインタをブラウザ１３３においてユーザ・インタフェース１１３の指揮の下に移動させることができる。従って、ポインタ・コマンドが携帯電子装置１０１から電子表示装置１０３に転送されてもよい。第４の選択肢として、コントローラ１１１は、ポインタをブラウザ１３３においてユーザ・インタフェース１３７の指揮の下に移動させることができる。従って、ポインタ・コマンドを電子表示装置１０３から携帯電子装置１０１へ送信し、その後電子表示装置１０３に戻してもよい。第５の選択肢として、コントローラ１３９は、ポインタをブラウザ１３３においてユーザ・インタフェース１３７の指揮の下に移動させることができる。従って、ポインタ・コマンドを送信することなく、画像データを携帯電子装置１０１から電子表示装置１０３に送信することができる。
【００３３】
本発明の実施形態によれば、画像データは携帯電子装置１０１のメモリ１２３に格納され、表示器１３１を使用して該画像データを閲覧するために、携帯電子装置１０１から無線リンク１２５を介して電子表示装置１０３へ送信することができる。より詳細には、（パワーポイント（商標登録）プレゼンテーションのような）プレゼンテーションデータは、（ＵＳＢ接続を介するなどして）メモリ１２３にダウンロードするか、あるいは、（ユーザ入力に応じて）コントローラ１１１により生成して、メモリ１２３に格納することができる。次いで、プレゼンテーションデータは携帯電子装置を用いてミーティングの場に簡単に持ち込むことができ、短距離無線リンク１２５を介して会議室内の電子表示装置１０３に該プレゼンテーションデータを提供することができる。大きなスクリーンを有するプロジェクタあるいはモニタのような表示器１３１を準備すれば、携帯電子装置からのプレゼンテーションデータを多数の人々に対して表示させることができる。
【００３４】
さらに、インターネット・プロトコル・ブラウザ１３３のポインタ機能を起動することにより、携帯電子装置１０１のユーザ・インタフェース１１３からのポインタ・コマンドを、プレゼンテーションのスライドを進行させるために利用することができる。さらに、画像データを、電子表示装置１０３の表示器１３１に供給するのと同時に、携帯電子装置１０１のユーザ・インタフェース１１３の表示器にも供給することができる。従って、プレゼンターは携帯電子装置１０１の表示器を使用して、投影されている画像を参照するために聴衆から顔を叛けることなく現在表示されているスライドをチェックすることができる。
【００３５】
その他の実施形態では、電子表示装置１０３は、インターネット・プロトコル・ブラウザ１３３を付随して有する、モニタ、ＣＲＴ表示器、液晶表示器、プラズマ表示器、プロジェクタ、などのような表示器１３１を含むことができる。画像データを無線リンク１２５を介して送信することで、携帯電子装置１０１のはるかに小さな表示器ではなく電子表示装置１０３のより大きな表示器１３１を利用して、ユーザの個人情報を表示させることができる。例えば、ユーザは、図１に示されるような遠隔電子表示装置１０３を使用して、電子メールを参照したり、カレンダを参照したり、ゲーム画面を参照したり、携帯電子装置にダウンロードされたインターネットのページを参照したり、携帯電子装置１０１に格納された写真を参照したり、携帯電子装置１０１に格納されたビデオクリップを参照したり、することができる。
【００３６】
電子表示装置１０３のコントローラ１３９はまた、アクセスポイント１３５を介したインターネット・プロトコル・ブラウザ１３３へのアクセスを規制しても良い。換言すれば、コントローラ１３９は、権限を与えられた携帯電子装置１０１のみにインターネット・プロトコル・ブラウザ１３３へのアクセスを認めることができる。家庭環境、あるいは、ビジネス環境において、権限のある携帯電子装置１０１にはアクセスコードが割り当てられる。これにより電子表示装置１０３のコントローラ１３９は、権限のある携帯電子装置１０１を識別し、インターネット・プロトコル・ブラウザ１３３へのアクセスを認めることができる。例えば、以前に割り当てられたアクセスコードは携帯電子装置１０１のメモリ１２３に格納しておき、ユーザ・インタフェース１１３において提供されるユーザコマンドに応じて、あるいは電子表示装置１０３からの問い合わせやビーコンに応じて無線リンク１２５を介して送信することができる。さらに、閉ざされた、あるいは安全な環境では、携帯電子装置１０１は利用可能な電子装置１０３の存在を自動的に検出することができ、携帯電子装置１０１上で稼動するアプリケーションを、利用可能な電子表示装置１０３の表示器１３１上に自動的に供給することができる。
【００３７】
公共の環境では、電子表示装置１０３のコントローラ１３９は、上述のアクセスコードにより従前に権限が与えられた携帯電子装置１０１にのみアクセスを認めることができる。アクセスが認められた携帯電子装置のアクセスコードを記録することにより、コントローラ１３９は請求対象となる利用状況を監視することができる。例えば、無線電話機は、ＭＩＮ(Mobile Identification Number)およびＥＳＮ（Electronic Serial Number)の少なくともいずれかのような識別番号を有し、コントローラ１３９は、この番号を使用して、アクセスを認めるか、あるいは、請求情報の監視を行うか否かを決定することができる。ＳＩＭ(Secure Interface Module)カード上で供給されるような他の情報を利用してもよい。
【００３８】
また、コントローラ１３９は、携帯電子装置１０１へのアクセスをクレジットカード番号のような支払情報の入力および認証に基づき許可することができる。例えば、携帯電子装置１０１のユーザは、電子表示装置１０３とのセッションを開始することができ、電子表示装置１０３からの問い合わせに応じて、ユーザはユーザ・インタフェース１１３を利用してクレジットカード情報を入力することができ、クレジットカード情報を無線リンク１２５を介して送信することができる。
【００３９】
無線リンク１２５を介した画像データの共有は、携帯電子装置１０１のユーザにより電子表示装置１０３の物理的存在を認識し、コマンドをユーザ・インタフェース１１３を利用して入力し、無線リンク１２５を確立することで開始できる。また、アクセスポイント１３５は、無線で確認ビーコンを送信することができ、ビーコンの受信により携帯電子装置１０１は（適切な認証を行って）無線リンク１２５を自動的に確立することができる。別の場合には、アクセスポイント１３５からのビーコンの受信に応じて、利用可能な電子表示装置１０３を識別するために、プロンプトをユーザ・インタフェース１１３に提供することができる。さらに別の方法では、ビーコンを携帯電子装置１０１により送信し、ビーコンの受信に応じて、アクセスポイント１３５が利用可能性を示して応答してもよい。利用可能性の指示を受信すると、無線リンク１２５が自動的に確立されてもよいし、あるいは無線リンク１２５を確立するために必要とされるユーザ入力を促すプロンプトがユーザ・インタフェース１１３で与えられてもよい。
【００４０】
図２に示されるように、本発明の追加の実施形態に係るシステム、方法および装置は、（無線電話機およびＰＤＡの少なくともいずれかのような）携帯電子装置２０１と、モニタおよびプロジェクタの少なくともいずれかのような電子表示装置２０３と、ＬＡＮ、ＷＡＮおよびインターネットの少なくともいずれかのようなネットワーク２４１を通じて電子表示装置２０３に結合される無線アクセスポイント２３５と、を含むことができる。より詳細には、携帯電子装置２０１は、コントローラ２１１、ユーザ・インタフェース２１３、（送信器２１９と受信器２２１を含む）短距離トランシーバ２１５、メモリ２２３、および、長距離トランシーバ２１７を含むことができる。電子表示装置２０３は、（モニタおよびプロジェクタの少なくともいずれかのような）表示器２３１、インターネット・プロトコル・ブラウザ２３３、ユーザ入力装置２３７およびコントローラ２３９を含むことができる。
【００４１】
以上に説明するように、携帯電子装置２０１はＰＤＡおよび無線電話機の少なくともいずれかであってもよい。さらに、ユーザ・インタフェース２１３はキーパッド、（液晶表示器のような）表示器、タッチパネル、タッチパッド、ダイヤル、スピーカ、方向キーおよびマイクロフォンの少なくともいずれかを含むことができる。従来の無線電話機の動作によれば、音声データはユーザ・インタフェース２１３のマイクロフォンから受信され、コントローラ２１１を通じて処理され、長距離トランシーバ２１７を使用して無線電話ネットワークに送信することができる。同様に、音声データは長距離トランシーバ２１７を使用して無線電話ネットワークから受信され、コントローラ２１１を通じて処理され、ユーザ・インタフェース２１３のスピーカを使用して再生することができる。さらに、あるいは、別の方法では、長距離送信器は通信ネットワークにより汎用パケット無線サービス（ＧＰＲＳ）のようなパケット交換データサービス通信を提供することができる。
【００４２】
さらに、あるいは別の場合には、携帯電子装置２０１はＰＤＡの機能を提供することができる。例えば、コントローラ２１１は、ユーザ・インタフェース２１３から入力を受信し、ユーザ・インタフェース２１３に出力を提供することにより、コンタクトデータベース、カレンダ、電子メール送信器または受信器、ディジタル音楽プレーヤ、仕事のリスト、インターネットブラウザ、ワードプロセッサ、スプレッドシート、ＰＤＦファイルビュアおよび（マイクロソフト社のパワーポイント（登録商標）のような）プレゼンテーションアプリケーションのような１つ以上のアプリケーションを動作させることができる。従って、携帯電子装置２０１は、（無線電話およびパケット交換通信の少なくともいずれかのような）長距離通信、および、ＰＤＡの機能の両方を提供することができる。携帯電子装置２０１はまた、長距離通信の提供を除く（この場合長距離トランシーバ２１７は省略することができる）、ＰＤＡの機能を提供することができる。
【００４３】
電子表示装置２０３は、内部にインターネット・プロトコル・ブラウザ１３３を含む、プロジェクタ、モニタ、あるいは、テレビジョンのような独立の表示装置であってもよい。電子表示装置２０３はまた、パーソナルコンピュータあるいはノートブックコンピュータのようなコンピュータ装置のコンポーネントとして含まれていてもよい。ある実施形態では、電子表示装置２０３は、携帯電子装置２０１から受信される画像データ、（パーソナルコンピュータおよびノートブックコンピュータの少なくともいずれかのような）コンピュータから受信される画像データ、電子表示装置に格納された画像データ、ネットワーク２４１を介してサーバ装置から受信される画像データ、の少なくともいずれかを表示するために使用することができる。例えばネットワーク２４１を介して受信される画像データを表示する場合、インターネット・プロトコル・ブラウザ２３３は、電子表示装置２０３に付属する（マウス、トラックボール、ジョイスティック、方向キー、タッチパッド、タッチパネル、などのようなポインティングデバイスでありうる）ユーザ入力装置２３７からの入力に基づきコントローラ２３９の指揮下において、ネットワーク２４１を通じてサーバに問い合わせることができる。コンピュータから受信される画像データを表示する場合、コントローラ２３９は画像データを供給するコンピュータと直接結合することができる。インターネット画像プロジェクタは例えば米国特許出願公開第２００２／０１７５９１５号明細書で説明されている。
【００４４】
携帯電子装置２０１からのデータを表示する場合、無線リンク２２５を、携帯電子装置２０１の短距離トランシーバ２１５と、電子表示装置２０３に（直接あるいはネットワーク２４１を通じて）結合されるアクセスポイント２３５との間で確立することができる。無線リンク２２５は、例えば（ＩＥＥＥ８０２．１１規格による）ＷｉＦｉ規格、Ｂｌｕｅｔｏｏｔｈ規格、および、赤外線規格の１つ以上を使用して提供することができる。さらに、無線リンク２２５は、同一あるいは異なる通信規格により提供される１つ以上の無線リンクを含むことができる。従って、短距離トランシーバ２１５およびアクセスポイント２３５はそれぞれ、同一あるいは異なる通信規格により動作する複数の送信器および受信器を含むことができる。
【００４５】
例えば、無線リンク２２５は２つのサブリンクを含むことができ、１つのサブリンクはＢｌｕｅｔｏｏｔｈ規格により提供され、他のサブリンクはＷｉＦｉ規格により提供されてもよい。あるいは、無線リンク２２５は、Ｂｌｕｅｔｏｏｔｈ規格により提供される１つのサブリンクと、赤外線規格により提供される他のサブリンクとを含んでいてもよい。さらに別の場合には、無線リンク２２５は、ＷｉＦｉ規格により提供される１つのサブリンクと、赤外線規格により提供される他のサブリンクとを含んでいてもよい。
【００４６】
画像データは、携帯電子装置２０１のメモリ２２３に格納することができ、コントローラ２１１は、画像データをインターネット・プロトコル形式で送信器２１９により無線リンク２２５を介してアクセスポイント２３５に、ネットワーク２４１を介して電子表示装置２０３のインターネット・プロトコル・ブラウザ２３３に提供するように構成することができる。次いで、画像データはインターネット・プロトコル・ブラウザ２３３およびコントローラ２３９により処理され、（ＣＲＴ表示器、液晶表示器、プラズマ表示器およびプロジェクタの少なくともいずれかのような）表示器２３１を利用した閲覧のために提供することができる。
【００４７】
図２の実施形態によれば、アクセスポイント２３５を電子表示装置２０３と同一の部屋に設置することができ、従って、プレゼンテーションをするために携帯電子装置を使用する間、短距離無線リンクによる相互接続を提供することができる。アクセスポイント２３５との間の結合は、例えば接続の容易さのためにネットワーク２４１を通じて行うことができる。また、アクセスポイント２３５を直接電子表示装置２０３に結合することもできる。別の場合には、無線リンク２２５は、（無線電話機のリンクおよびＧＰＲＳリンクの少なくともいずれかのような）長距離通信リンクであってもよく、アクセスポイント２３５は、ネットワーク基地局であってもよい。従って、アクセスポイント２３５は、電子表示装置２０３と同一の部屋に設置される必要はなく、独立の短距離トランシーバ２１５を必要としなくても良い。
【００４８】
画像データは、携帯電子装置２０１のコントローラ２１１からインターネット・プロトコル・ブラウザ２３３へ、ＨＴＭＬおよびＸＭＬの少なくともいずれかのようなインターネット・プロトコル形式を使用して提供することができる。従って、電子表示装置２０３のインターネット・プロトコル・ブラウザ２３３はクライアントとして動作でき、携帯電子装置２０１のコントローラ２１１はサーバとして動作できる。
【００４９】
さらに、携帯電子装置２０１のユーザ・インタフェース２１３からのユーザ入力を、電子表示装置２０３のインターネット・プロトコル・ブラウザ２３３のポインタ機能を制御するために利用することができる。代表的には、インターネット・プロトコル・ブラウザのポインタ機能はブラウザを含む装置に物理的に付属する（マウス、トラックボール、ジョイスティック、方向キー、タッチパッド、タッチパネル、ダイヤルなどの）ユーザ入力装置を使用して制御される。図２の電子表示装置２０３では、ネットワーク２４１からの従来の画像データを表示する場合、インターネット・プロトコル・ブラウザ２３３のポインタ機能を、ユーザ入力装置２３７から制御することができる。さらに、あるいは、別の場合、ネットワーク２４１からのデータを表示する場合、インターネット・プロトコル・ブラウザ２３３のポインタ機能を、ユーザ・インタフェース２１３の指揮下においてコントローラ２１１により制御することができる。
【００５０】
しかしながら、携帯電子装置２０１からの画像データを表示する場合、インターネット・プロトコル・ブラウザ２３３のポインタ機能を、携帯電子装置２０１のユーザ・インタフェース２１３から制御することができる。例えば、ポインタ・コマンドは、ジョイスティック、方向キー、タッチパッド、タッチパネル、ダイヤルなどのユーザ・インタフェース２１３を利用したユーザ入力に応じて、コントローラ２１１で生成することができる。より詳細には、ポインタ・コマンドは、ユーザ・インタフェース２１３におけるユーザ入力に応じてコントローラ２１１で生成され、無線リンク２２５を介してインターネット・プロトコル・ブラウザ２３３に送信され、インターネット・プロトコル・ブラウザ２３３のポインタ機能は、コントローラ２１１からのポインタ・コマンドに応じて起動されてもよい。インターネット・プロトコル・ブラウザ２３３は、画像データをコントローラ２１１から取得し、無線リンク２２５を介してコントローラ２１１から受信したポインタ・コマンドに応じて、該画像データを表示器２３１に提供することができる。
【００５１】
コントローラ２１１からのポインタ・コマンドは、無線リンク２２５を介して送信される画像データのストリームに埋め込むことができる。従って、画像データおよびポインタ・コマンドは、単一の論理データストリームを使用して、例えばＷｉＦｉ規格、Ｂｌｕｅｔｏｏｔｈ規格、および、赤外線規格の少なくともいずれかを使用して送信することができる。Ｂｌｕｅｔｏｏｔｈ規格を使用して画像データを送信する場合、例えばＢｌｕｅｔｏｏｔｈ規格により提供されるヒューマンインタフェース装置（ＨＩＤ）プロファイルを、画像データを伴うポインタ・コマンドを送信するのに利用することができる。ＨＴＭＬおよびＸＭＬの少なくともいずれかのようなインターネット・プロトコル形式を使用する場合、ポインタ・コマンドを任意の無線リンク規格を使用して画像データを送信するのに使用されるデータストリームに埋め込むことができる。あるいは、画像データおよびポインタ・コマンドを、同一あるいは異なる無線リンク規格を使用して提供される異なるデータストリームを使用して送信することができる。
【００５２】
１つの選択肢として、コントローラ２１１は、ポインタをアプリケーション内でユーザ・インタフェース２１３の指揮の下に移動させ、ポインタ・コマンドを電子表示装置２０３に転送することなく画像全体を電子表示装置２０３に転送することができる。第２の選択肢として、コントローラ２１１は、ポインタをアプリケーション内でユーザ・インタフェース２３７の指揮の下に移動させ、ポインタ・コマンドを電子表示装置２０３に転送することなく画像全体を電子表示装置２０３に転送することができる。従って、ポインタ・コマンドは電子表示装置２０３から携帯電子装置２０１に転送されてもよい。第３の選択肢として、コントローラ２１１は、ポインタをブラウザ２３３においてユーザ・インタフェース２１３の指揮の下に移動させることができる。従って、ポインタ・コマンドが携帯電子装置２０１から電子表示装置２０３に転送されてもよい。第４の選択肢として、コントローラ２１１は、ポインタをブラウザ２３３においてユーザ・インタフェース２３７の指揮の下に移動させることができる。従って、ポインタ・コマンドを電子表示装置２０３から携帯電子装置２０１へ送信し、その後電子表示装置２０３に戻してもよい。第５の選択肢として、コントローラ２３９は、ポインタをブラウザ２３３においてユーザ・インタフェース２３７の指揮の下に移動させることができる。従って、ポインタ・コマンドを送信することなく、画像データを携帯電子装置２０１から電子表示装置２０３に送信することができる。
【００５３】
本発明の実施形態によれば、画像データは携帯電子装置２０１のメモリ２２３に格納され、表示器２３１を使用して該画像データを閲覧するために、携帯電子装置２０１から無線リンク２２５を介して電子表示装置２０３へ送信することができる。より詳細には、（パワーポイント（商標登録）プレゼンテーションのような）プレゼンテーションデータは、（ＵＳＢ接続を介するなどして）メモリ２２３にダウンロードするか、あるいは、（ユーザ入力に応じて）コントローラ２１１により生成して、メモリ２２３に格納することができる。次いで、プレゼンテーションデータは携帯電子装置を用いてミーティングの場に簡単に持ち込むことができ、短距離無線リンク２２５を介して会議室内の電子表示装置２０３に該プレゼンテーションデータを提供することができる。大きなスクリーンを有するプロジェクタあるいはモニタのような表示器２３１を準備すれば、携帯電子装置からのプレゼンテーションデータを多数の人々に対して表示させることができる。
【００５４】
さらに、インターネット・プロトコル・ブラウザ２３３のポインタ機能を起動することにより、携帯電子装置１０１のユーザ・インタフェース１１３からのポインタ・コマンドを、プレゼンテーションのスライドを進行させるために利用することができる。さらに、画像データを、電子表示装置２０３の表示器２３１に供給するのと同時に、携帯電子装置２０１のユーザ・インタフェース２１３の表示器にも供給することができる。従って、プレゼンターは携帯電子装置２０１の表示器を使用して、投影されている画像を参照するために聴衆から顔を叛けることなく現在表示されているスライドをチェックすることができる。
【００５５】
その他の実施形態では、電子表示装置２０３は、インターネット・プロトコル・ブラウザ２３３を付随して有する、モニタ、ＣＲＴ表示器、液晶表示器、プラズマ表示器、プロジェクタ、などのような表示器２３１を含むことができる。画像データを無線リンク１２５を介して送信することで、携帯電子装置２０１のはるかに小さな表示器ではなく電子表示装置２０３のより大きな表示器２３１を利用して、ユーザの個人情報を表示させることができる。例えば、ユーザは、図２に示されるような遠隔電子表示装置２０３を使用して、電子メールを参照したり、カレンダを参照したり、ゲーム画面を参照したり、携帯電子装置にダウンロードされたインターネットのページを参照したり、携帯電子装置２０１に格納された写真を参照したり、携帯電子装置２０１に格納されたビデオクリップを参照したり、することができる。
【００５６】
電子表示装置２０３のコントローラ２３９はまた、アクセスポイント２３５を介したインターネット・プロトコル・ブラウザ２３３へのアクセスを規制しても良い。換言すれば、コントローラ２３９は、権限を与えられた携帯電子装置２０１のみにインターネット・プロトコル・ブラウザ２３３へのアクセスを認めることができる。家庭環境、あるいは、ビジネス環境において、権限のある携帯電子装置２０１にはアクセスコードが割り当てられる。これにより電子表示装置２０３のコントローラ２３９は、権限のある携帯電子装置２０１を識別し、インターネット・プロトコル・ブラウザ２３３へのアクセスを認めることができる。例えば、以前に割り当てられたアクセスコードは携帯電子装置２０１のメモリ２２３に格納しておき、ユーザ・インタフェース２１３において提供されるユーザコマンドに応じて、あるいは電子表示装置２０３からの問い合わせやビーコンに応じて無線リンク２２５を介して送信することができる。さらに、閉ざされた、あるいは安全な環境では、携帯電子装置２０１は利用可能な電子装置２０３の存在を自動的に検出することができ、携帯電子装置２０１上で稼動するアプリケーションを、利用可能な電子表示装置２０３の表示器２３１上に自動的に供給することができる。
【００５７】
公共の環境では、電子表示装置２０３のコントローラ２３９は、上述のアクセスコードにより従前に権限が与えられた携帯電子装置２０１にのみアクセスを認めることができる。アクセスが認められた携帯電子装置のアクセスコードを記録することにより、コントローラ２３９は請求対象となる利用状況を監視することができる。例えば、無線電話機は、ＭＩＮおよびＥＳＮの少なくともいずれかのような識別番号を有し、コントローラ１３９は、この番号を使用して、アクセスを認めるか、あるいは、請求情報の監視を行うか否かを決定することができる。ＳＩＭカード上で供給されるような他の情報を利用してもよい。
【００５８】
また、コントローラ２３９は、携帯電子装置２０１へのアクセスをクレジットカード番号のような支払情報の入力および認証に基づき許可することができる。例えば、携帯電子装置２０１のユーザは、電子表示装置２０３とのセッションを開始することができ、電子表示装置２０３からの問い合わせに応じて、ユーザはユーザ・インタフェース２１３を利用してクレジットカード情報を入力することができ、クレジットカード情報を無線リンク２２５を介して送信することができる。
【００５９】
無線リンク２２５を介した画像データの共有は、携帯電子装置２０１のユーザにより電子表示装置２０３の物理的存在を認識し、コマンドをユーザ・インタフェース２１３を利用して入力し、無線リンク２２５を確立することで開始できる。また、アクセスポイント２３５は、電子表示装置２０３に隣接していても良く、該アクセスポイント２３５は、無線で確認ビーコンを送信することができ、ビーコンの受信により携帯電子装置２０１は（適切な認証を行って）無線リンク２２５を自動的に確立することができる。別の場合には、アクセスポイント２３５からのビーコンの受信に応じて、利用可能な電子表示装置２０３を識別するために、プロンプトをユーザ・インタフェース２１３に提供することができる。さらに別の方法では、ビーコンを携帯電子装置２０１により送信し、ビーコンの受信に応じて、アクセスポイント２３５が利用可能性を示して応答してもよい。利用可能性の指示を受信すると、無線リンク２２５が自動的に確立されてもよいし、あるいは無線リンク２２５を確立するために必要とされるユーザ入力を促すプロンプトがユーザ・インタフェース２１３で与えられてもよい。
【００６０】
図３に示されるように、本発明のさらなる追加の実施形態に係るシステム、方法および装置は（無線電話機およびＰＤＡの少なくともいずれかのような）携帯電子装置３０１、モニタおよびプロジェクタの少なくともいずれかのような電子表示装置３０３を含むことができる。より詳細には、携帯電子装置３０１はコントローラ３１１、ユーザ・インタフェース３１３、（送信器３１９と受信器３２１を含む）短距離トランシーバ３１５、メモリ３２３および長距離トランシーバ３１７を含むことができる。電子表示装置３０３は（モニタおよびプロジェクタの少なくともいずれかのような）表示器３３１、インターネット・プロトコル・ブラウザ３３３、無線アクセスポイント３３５、ユーザ入力装置３３７およびコントローラ３３９を含むことができる。
【００６１】
以上に説明するように、携帯電子装置３０１はＰＤＡおよび無線電話機であってもよい。さらに、ユーザ・インタフェース３１３はキーパッド、（液晶表示器のような）表示器、タッチパネル、ダイヤル、スピーカ、方向キーおよびマイクロフォンの少なくともいずれかを含むことができる。従来の無線電話機の動作によれば、音声データはユーザ・インタフェース３１３のマイクロフォンから受信され、コントローラ３１１を通じて処理され、長距離トランシーバ３１７を使用して無線電話ネットワークに送信することができる。同様に、音声データは長距離トランシーバ３１７を使用して無線電話ネットワークから受信され、コントローラ３１１を通じて処理され、ユーザ・インタフェース３１３のスピーカを使用して再生することができる。さらに、あるいは別の場合には、長距離送信器は通信ネットワークにより汎用パケット無線サービス（ＧＰＲＳ）のようなパケット交換データサービス通信を提供することができる。
【００６２】
さらに、あるいは別の方法では、携帯電子装置３０１はＰＤＡの機能を提供することができる。例えば、コントローラ３１１は、ユーザ・インタフェース３１３から入力を受信され、ユーザ・インタフェース３１３に出力を提供することによりコンタクトデータベース、カレンダ、電子メール送信器または受信器、ディジタル音楽プレーヤ、仕事のリスト、インターネットブラウザ、ワードプロセッサ、スプレッドシート、ＰＤＦファイルビュアおよび（マイクロソフト社のパワーポイント（登録商標）のような）プレゼンテーションアプリケーションのような１つ以上のアプリケーションを動作させることができる。従って、携帯電子装置３０１は（無線電話およびパケット交換通信の少なくともいずれかのような）、長距離通信、および、ＰＤＡの機能の両方を提供することができる。携帯電子装置３０１はまた、長距離通信の提供を除く（この場合長距離トランシーバ３１７は省略することができる）、ＰＤＡの機能を提供することができる。
【００６３】
電子表示装置３０３は、内部にインターネット・プロトコル・ブラウザ３３３を含む、プロジェクタ、モニタ、あるいは、テレビジョンのような独立の表示装置であってもよい。電子表示装置３０３はまた、パーソナルコンピュータあるいはノートブックコンピュータのようなコンピュータ装置のコンポーネントとして含まれていてもよい。ある実施形態では、電子表示装置３０３は携帯電子装置から受信される画像データ、（パーソナルコンピュータおよびノートブックコンピュータの少なくともいずれかのような）コンピュータから受信される画像データ、電子表示装置に格納された画像データ、ＬＡＮ、ＷＡＮおよびインターネットの少なくともいずれかのようなネットワーク３４１を介して受信される画像データ、の少なくともいずれかを表示するために使用することができる。例えばネットワーク３４１を介して受信される画像データを表示する場合、インターネット・プロトコル・ブラウザ３３３は、電子表示装置３０３に付属する（マウス、トラックボール、ジョイスティック、方向キー、タッチパッド、タッチパネル、などのようなポインティングデバイスでありうる）ユーザ入力装置３３７からの入力に基づきコントローラ３３９の指揮下においてネットワーク３４１を通じてサーバに問い合わせることができる。コンピュータから受信される画像データを表示する場合、コントローラ３３９は画像データを供給するコンピュータと直接結合することができる。インターネット画像プロジェクタは例えば米国特許出願公開第２００２／０１７５９１５号明細書で説明されている。
【００６４】
携帯電子装置３０１からのデータを表示する場合、無線リンク３２５を、携帯電子装置３０１の短距離トランシーバ３１５と、電子表示装置３０３のアクセスポイント３３５との間で確立することができる。無線リンク３２５は、例えば（ＩＥＥＥ８０２．１１規格による）ＷｉＦｉ規格、Ｂｌｕｅｔｏｏｔｈ規格、および、赤外線規格の１つ以上を使用して提供することができる。さらに、無線リンク３２５は、同一あるいは異なる通信規格により提供される１つ以上の無線リンクを含むことができる。従って、短距離トランシーバ３１５およびアクセスポイント３３５はそれぞれ、同一あるいは異なる通信規格により動作する複数の送信器および受信器を含むことができる。
【００６５】
例えば、無線リンク３２５は２つのサブリンクを含むことができ、１つのサブリンクはＢｌｕｅｔｏｏｔｈ規格により提供され、他のサブリンクはＷｉＦｉ規格により提供されてもよい。あるいは、無線リンク３２５は、Ｂｌｕｅｔｏｏｔｈ規格により提供される１つのサブリンクと、赤外線規格により提供される他のサブリンクとを含んでいてもよい。さらに別の場合には、無線リンク３２５は、ＷｉＦｉ規格により提供される１つのサブリンクと、赤外線規格により提供される他のサブリンクとを含んでいてもよい。
【００６６】
画像データは、携帯電子装置３０１のメモリ３２３に格納することができ、コントローラ３１１は画像データをインターネット・プロトコル形式で送信器３１９により無線リンク３２５を介して電子表示装置３０３のアクセスポイント３３５に提供するように構成することができる。図３に示されるように、アクセスポイントはネットワーク３４１と結合することができ、画像データはアクセスポイント３３５からネットワーク３４１通じてインターネット・プロトコル・ブラウザ３３３に送信することができる。ある場合には、画像を、アクセスポイント３３５からインターネット・プロトコル・ブラウザ３３３にコントローラ３３９を通じて通信するよりネットワーク３４１を介する方がより容易であることがある。次いで画像データはインターネット・プロトコル・ブラウザ３３３およびコントローラ３３９により処理され、（ＣＲＴ表示器、液晶表示器、プラズマ表示器およびプロジェクタの少なくともいずれかのような）表示器３３１を利用した閲覧のために提供することができる。
【００６７】
画像データは、携帯電子装置３０１のコントローラ３１１からインターネット・プロトコル・ブラウザ３３３へ、ＨＴＭＬおよびＸＭＬの少なくともいずれかのようなインターネット・プロトコル形式を使用して提供することができる。従って、電子表示装置３０３のインターネット・プロトコル・ブラウザ３３３はクライアントとして動作でき、携帯電子装置３０１のコントローラ３１１はサーバとして動作できる。
【００６８】
さらに、携帯電子装置３０１のユーザ・インタフェース３１３からのユーザ入力は、電子表示装置３０３のインターネット・プロトコル・ブラウザ３３３のポインタ機能を制御するために利用することができる。代表的には、インターネット・プロトコル・ブラウザのポインタ機能はブラウザを含む装置に物理的に付属する（マウス、トラックボール、ジョイスティック、タッチパネル、タッチパッド、方向キー、ダイヤルなどの）ユーザ入力装置を使用して制御される。図３の電子表示装置３０３では、ネットワーク３４１からの画像データを表示する場合、インターネット・プロトコル・ブラウザ３３３のポインタ機能を、ユーザ入力装置３３７から制御することができる。さらに、あるいは別の場合、ネットワーク３４１からのデータを表示する場合、インターネット・プロトコル・ブラウザ３３３のポインタ機能を、ユーザ・インタフェース３１３の指揮下においてコントローラ３１１から制御することができる。
【００６９】
携帯電子装置３０１からの画像データを表示する場合、インターネット・プロトコル・ブラウザ３３３のポインタ機能を、携帯電子装置３０１のユーザ・インタフェース３１３から制御することができる。例えば、ポインタ・コマンドは、ジョイスティック、方向キー、タッチパッド、タッチパネル、ダイヤルなどのユーザ・インタフェース３１３を利用したユーザ入力に応じて、コントローラ３１１で生成することができる。より詳細には、ポインタ・コマンドは、ユーザ・インタフェース３１３におけるユーザ入力に応じてコントローラ３１１で生成され、無線リンク３２５を介してインターネット・プロトコル・ブラウザ３３３に送信され、インターネット・プロトコル・ブラウザ３３３のポインタ機能は、コントローラ３１１からのポインタ・コマンドに応じて起動されてもよい。インターネット・プロトコル・ブラウザ３３３は、画像データをコントローラ３１１から取得し、無線リンク３２５を介してコントローラ３１１から受信したポインタ・コマンドに応じて、該画像データを表示器３３１に提供することができる。
【００７０】
コントローラ３１１からのポインタ・コマンドは、無線リンク３２５を介して送信される画像データのストリームに埋め込むことができる。従って、画像データおよびポインタ・コマンドは、単一の論理データストリームを使用して、例えばＷｉＦｉ規格、Ｂｌｕｅｔｏｏｔｈ規格、および、赤外線規格の少なくともいずれかを使用して送信することができる。Ｂｌｕｅｔｏｏｔｈ規格を使用して画像データを送信する場合、例えばＢｌｕｅｔｏｏｔｈ規格により提供されるヒューマンインタフェース装置（ＨＩＤ）プロファイルを、画像データを伴うポインタ・コマンドを送信するのに利用することができる。ＨＴＭＬおよびＸＭＬの少なくともいずれかのようなインターネット・プロトコル形式を使用する場合、ポインタ・コマンドを任意の無線リンク規格を使用して画像データを送信するのに使用されるデータストリームに埋め込むことができる。あるいは、画像データおよびポインタ・コマンドを、同一あるいは異なる無線リンク規格を使用して提供される異なるデータストリームを使用して送信することができる。
【００７１】
１つの選択肢として、コントローラ３１１は、ポインタをアプリケーション内でユーザ・インタフェース３１３の指揮の下に移動させ、ポインタ・コマンドを電子表示装置３０３に転送することなく画像全体を電子表示装置３０３に転送することができる。第２の選択肢として、コントローラ３１１は、ポインタをアプリケーション内でユーザ・インタフェース３３７の指揮の下に移動させ、ポインタ・コマンドを電子表示装置３０３に転送することなく画像全体を電子表示装置３０３に転送することができる。従って、ポインタ・コマンドは電子表示装置３０３から携帯電子装置３０１に転送されてもよい。第３の選択肢として、コントローラ３１１は、ポインタをブラウザ３３３においてユーザ・インタフェース３１３の指揮の下に移動させることができる。従って、ポインタ・コマンドが携帯電子装置３０１から電子表示装置３０３に転送されてもよい。第４の選択肢として、コントローラ３１１は、ポインタをブラウザ３３３においてユーザ・インタフェース３３７の指揮の下に移動させることができる。従って、ポインタ・コマンドを電子表示装置３０３から携帯電子装置３０１へ送信し、その後電子表示装置３０３に戻してもよい。第５の選択肢として、コントローラ３３９は、ポインタをブラウザ３３３においてユーザ・インタフェース３３７の指揮の下に移動させることができる。従って、ポインタ・コマンドを送信することなく、画像データを携帯電子装置３０１から電子表示装置３０３に送信することができる。
【００７２】
本発明の実施形態によれば、画像データは携帯電子装置３０１のメモリ３２３に格納され、表示器３３１を使用して該画像データを閲覧するために、携帯電子装置３０１から無線リンク３２５を介して電子表示装置３０３へ送信することができる。より詳細には、（パワーポイント（商標登録）プレゼンテーションのような）プレゼンテーションデータは、（ＵＳＢ接続を介するなどして）メモリ３２３にダウンロードするか、あるいは、（ユーザ入力に応じて）コントローラ３１１により生成して、メモリ３２３に格納することができる。次いで、プレゼンテーションデータは携帯電子装置を用いてミーティングの場に簡単に持ち込むことができ、短距離無線リンク３２５を介して会議室内の電子表示装置３０３に該プレゼンテーションデータを提供することができる。大きなスクリーンを有するプロジェクタあるいはモニタのような表示器３３１を準備すれば、携帯電子装置からのプレゼンテーションデータを多数の人々に対して表示させることができる。
【００７３】
さらに、インターネット・プロトコル・ブラウザ３３３のポインタ機能を起動することにより、携帯電子装置３０１のユーザ・インタフェース３１３からのポインタ・コマンドを、プレゼンテーションのスライドを進行させるために使用することができる。さらに、画像データを、電子表示装置３０３の表示器３３１に供給すると同時に、携帯電子装置３０１のユーザ・インタフェース３１３の表示器にも供給することができる。従って、プレゼンターは携帯電子装置３０１の表示器を使用して、投影されている画像を参照するために聴衆から顔を叛けることなく現在表示されているスライドをチェックすることができる。
【００７４】
その他の実施形態では、電子表示装置３０３は、インターネット・プロトコル・ブラウザ３３３を付随して有する、モニタ、ＣＲＴ表示器、液晶表示器、プラズマ表示器、プロジェクタ、などのような表示器３３１を含むことができる。画像データを無線リンク３２５を介して送信することで、携帯電子装置３０１のはるかに小さな表示器ではなく電子表示装置３０３のより大きな表示器３３１を利用して、ユーザの個人情報を表示させることができる。例えば、ユーザは、図３に示されるような遠隔電子表示装置３０３を使用して、電子メールを参照したり、カレンダを参照したり、ゲーム画面を参照したり、携帯電子装置にダウンロードされたインターネットのページを参照したり、携帯電子装置３０１に格納された写真を参照したり、携帯電子装置３０１に格納されたビデオクリップを参照したり、することができる。
【００７５】
電子表示装置３０３のコントローラ３３９はまた、アクセスポイント３３５を介したインターネット・プロトコル・ブラウザ３３３へのアクセスを規制しても良い。換言すれば、コントローラ３３９は、権限を与えられた携帯電子装置３０１のみにインターネット・プロトコル・ブラウザ３３３へのアクセスを認めることができる。家庭環境、あるいは、ビジネス環境において、権限のある携帯電子装置３０１にはアクセスコードが割り当てられる。これにより電子表示装置３０３のコントローラ３３９は、権限のある携帯電子装置３０１を識別し、インターネット・プロトコル・ブラウザ３３３へのアクセスを認めることができる。例えば、以前に割り当てられたアクセスコードは携帯電子装置３０１のメモリ３２３に格納しておき、ユーザ・インタフェース３１３において提供されるユーザコマンドに応じて、あるいは電子表示装置３０３からの問い合わせやビーコンに応じて無線リンク３２５を介して送信することができる。さらに、閉ざされた、あるいは安全な環境では、携帯電子装置３０１は利用可能な電子表示装置３０３の存在を自動的に検出することができ、携帯電子装置３０１上で稼動するアプリケーションを、利用可能な電子表示装置３０３の表示器３３１上に自動的に供給することができる。
【００７６】
公共の環境では、電子表示装置３０３のコントローラ３３９は、上述のアクセスコードにより従前に権限が与えられた携帯電子装置３０１にのみアクセスを認めることができる。アクセスが認められた携帯電子装置のアクセスコードを記録することにより、コントローラ３３９は請求対象となる利用状況を監視することができる。例えば、無線電話機は、ＭＩＮおよびＥＳＮの少なくともいずれかのような識別番号を有し、コントローラ３３９は、この番号を使用して、アクセスを認めるか、あるいは、請求情報の監視を行うか否かを決定することができる。ＳＩＭカード上で供給されるような他の情報を利用してもよい。
【００７７】
また、コントローラ３３９は、携帯電子装置３０１へのアクセスをクレジットカード番号のような支払情報の入力および認証に基づき許可することができる。例えば、携帯電子装置３０１のユーザは、電子表示装置３０３とのセッションを開始することができ、電子表示装置３０３からの問い合わせに応じて、ユーザはユーザ・インタフェース３１３を利用してクレジットカード情報を入力することができ、クレジットカード情報を無線リンク３２５を介して送信することができる。
【００７８】
無線リンク３２５を介した画像データの共有は、携帯電子装置３０１のユーザにより電子表示装置３０３の物理的存在を認識し、コマンドをユーザ・インタフェース３１３を利用して入力し、無線リンク３２５を確立することで開始できる。また、アクセスポイント３３５は、無線で確認ビーコンを送信することができ、ビーコンの受信により携帯電子装置３０１は（適切な認証を行って）無線リンク３２５を自動的に確立することができる。別の場合には、アクセスポイント３３５からのビーコンの受信に応じて、利用可能な電子表示装置３０３を識別するために、プロンプトをユーザ・インタフェース３１３に提供することができる。さらに別の方法では、ビーコンを携帯電子装置３０１により送信し、ビーコンの受信に応じて、アクセスポイント３３５が利用可能性を示して応答してもよい。利用可能性の指示を受信すると、無線リンク３２５が自動的に確立されてもよいし、あるいは無線リンク３２５を確立するために必要とされるユーザ入力を促すプロンプトがユーザ・インタフェース３１３で与えられてもよい。
【００７９】
図面および明細書において、本発明の典型的かつ好適な実施形態を記載した。また、特定の用語を使用しているが、これらは一般的かつ説明的な意味においてのみ使用されたものであって、なんら制限的な意味を有さず、本発明の範囲は特許請求の範囲の記載においてに明らかにされる。本明細書で「備える("compriseing"又は"comprise")」との語が使用される場合、これらは限定的な意味として用いられるのではなく、オープンエンドスタイルの語であって、記述した１以上の要素、工程及び機能の少なくともいずれかを含むものとして、理解されよう。
【００８０】
さらに、図１から図３に含まれるブロックは、上述のように、種々の機能を表し、これらの機能はハードウエア、ソフトウエアおよびそれらの組み合わせの少なくともいずれかにより実装することができる。さらに、特定のブロックの一部の機能、あるいは、特定のブロックの全ての機能を、その他のブロックに実装してもよい。例えば、携帯電子装置のメモリを、携帯電子装置のコントローラの一部として実装してもよい。同様に、電子表示装置のインターネット・プロトコル・ブラウザを、電子表示装置のコントローラの一部として実装してもよい。
【図面の簡単な説明】
【００８１】
【図１】本発明の実施形態に係るシステム、方法、および装置を示すブロック図である。
【図２】本発明の実施形態に係るシステム、方法、および装置を示すブロック図である。
【図３】本発明の実施形態に係るシステム、方法、および装置を示すブロック図である。
【図１】
2007531391.tif 000003
【図２】
2007531391.tif 000004
【図３】
2007531391.tif 000005
【手続補正書】
【提出日】平成17年12月1日(2005.12.1)
【手続補正１】
【補正対象書類名】特許請求の範囲
【補正対象項目名】全文
【補正方法】変更
【補正の内容】
【特許請求の範囲】
【請求項１】
携帯電子装置であって、
前記携帯電子装置内に画像データを格納するように構成されたメモリと、
インターネット・プロトコル・ブラウザを含む遠隔電子表示装置との無線リンクを提供するように構成された送信器と、
前記メモリ及び前記送信器と結合されたコントローラと、
前記コントローラと結合され、前記遠隔電子表示装置の前記インターネット・プロトコル・ブラウザのポインタ機能を制御するために利用されるポインタ・コマンドのユーザ入力を受け付けるように構成されたユーザ・インタフェースと
を備え、
前記コントローラが、前記画像データをインターネット・プロトコル形式で提供するように構成され、
前記送信器が、前記無線リンクを介して前記インターネット・プロトコル形式で前記画像データを送信するように構成され、
前記コントローラおよび前記送信器が、前記インターネット・プロトコル・ブラウザの前記ポインタ機能を制御するために、前記ポインタ・コマンドを前記無線リンクを介して前記遠隔電子表示装置に送信するように構成されている
ことを特徴とする携帯電子装置。
【請求項２】
前記コントローラが、前記遠隔電子表示装置の前記ブラウザをクライアントとした場合の、サーバとして機能するように構成されていることを特徴とする請求項１に記載の携帯電子装置。
【請求項３】
前記ポインタ・コマンドが、前記インターネット・プロトコル形式で送信されることを特徴とする請求項１に記載の携帯電子装置。
【請求項４】
前記ポインタ・コマンドが、前記インターネット・プロトコル形式以外の形式で送信されることを特徴とする請求項１に記載の携帯電子装置。
【請求項５】
前記送信器が、短距離送信器を含み、
前記携帯電子装置が、長距離通信を提供するように構成された長距離トランシーバをさらに備えることを特徴とする請求項１に記載の携帯電子装置。
【請求項６】
前記送信器が、ＷｉＦｉ規格、Ｂｌｕｅｔｏｏｔｈ規格、および、赤外線規格の少なくとも１つによる無線リンクを提供するように構成されていることを特徴とする請求項１に記載の携帯電子装置。
【請求項７】
前記インターネット・プロトコル形式が、ＨＴＭＬおよびＸＭＬの少なくとも１つを含むことを特徴とする請求項１に記載の携帯電子装置。
【請求項８】
前記コントローラが、コンタクトデータベース、カレンダ、電子メール送信器または受信器、ディジタル音楽プレーヤ、仕事のリスト、および、無線インターネットブラウザの少なくとも１つをさらに提供することを特徴とする請求項１に記載の携帯電子装置。
【請求項９】
前記画像データが、スライドによるプレゼンテーションのデータを含むことを特徴とする請求項１に記載の携帯電子装置。
【請求項１０】
電子表示装置であって、
電子データを表示するように構成された表示器と、
画像データとポインタ・コマンドとを、携帯電子装置との有線結合を経ずに該携帯電子装置から受信するように構成されたインターネット・プロトコル・ブラウザと
を備え、
前記ポインタコマンドが、前記インターネット・プロトコル・ブラウザのポインタ機能を制御するために利用され、
前記画像データが、前記インターネット・プロトコル・ブラウザにおいてインターネット・プロトコル形式で受信され、
前記インターネット・プロトコル・ブラウザが、前記携帯電子装置からの前記ポインタ・コマンドに応じて、前記表示器を利用し、前記画像データを視覚的に提供するように構成されている
ことを特徴とする電子表示装置。
【請求項１１】
前記ブラウザが、前記携帯電子装置のコントローラをサーバとした場合の、クライアントとして機能するように構成されていることを特徴とする請求項１０に記載の電子表示装置。
【請求項１２】
前記表示器が、モニタおよびプロジェクタの少なくとも１つを含むことを特徴とする請求項１０に記載の電子表示装置。
【請求項１３】
前記ポインタ・コマンドが、前記インターネット・プロトコル・ブラウザにおいて前記インターネット・プロトコル形式で受信されることを特徴とする請求項１０に記載の電子表示装置。
【請求項１４】
前記ポインタ・コマンドが、前記インターネット・プロトコル・ブラウザにおいて前記インターネット・プロトコル形式以外の形式で受信されることを特徴とする請求項１０に記載の電子表示装置。
【請求項１５】
前記インターネット・プロトコル形式が、ＨＴＭＬおよびＸＭＬの少なくとも１つを含むことを特徴とする請求項１０に記載の電子表示装置。
【請求項１６】
前記画像データが、スライドによるプレゼンテーションのデータを含むことを特徴とする請求項１０に記載の電子表示装置。
【請求項１７】
携帯電子装置を利用して視覚的プレゼンテーションを提供する方法であって、
画像データを前記携帯電子装置内に格納する工程と、
前記画像データをインターネット・プロトコル形式で提供する工程と、
前記画像データを、無線リンクを介して遠隔電子表示装置に前記インターネット・プロトコル形式で送信する工程であって、前記遠隔電子表示装置がインターネット・プロトコル・ブラウザを含む工程と、
前記遠隔電子表示装置の前記インターネット・プロトコル・ブラウザのポインタ機能を制御するために利用されるポインタ・コマンドのユーザ入力を受け付ける工程と、
前記インターネット・プロトコル・ブラウザの前記ポインタ機能を制御するために、前記ポインタ・コマンドを、前記無線リンクを介して前記遠隔電子表示装置に送信する工程と
を備えることを特徴とする方法。
【請求項１８】
前記携帯電子装置は、前記遠隔電子表示装置の前記ブラウザをクライアントとした場合の、サーバとして機能するように構成されていることを特徴とする請求項１７に記載の方法。
【請求項１９】
前記ポインタ・コマンドが、前記インターネット・プロトコル形式で送信されることを特徴とする請求項１８に記載の方法。
【請求項２０】
前記ポインタ・コマンドが、前記インターネット・プロトコル形式以外の形式で送信されることを特徴とする請求項１８に記載の方法。
【請求項２１】
前記画像データが、短距離プロトコルを利用して送信され、
前記方法は、長距離無線通信を提供する工程を更に備えることを特徴とする請求項１７に記載の方法。
【請求項２２】
前記画像データを送信する工程が、ＷｉＦｉ規格、Ｂｌｕｅｔｏｏｔｈ規格、および、赤外線規格の少なくとも１つを使用して前記画像データを送信する工程を含むことを特徴とする請求項１７に記載の方法。
【請求項２３】
前記インターネット・プロトコル形式が、ＨＴＭＬおよびＸＭＬの少なくとも１つを含むことを特徴とする請求項１７に記載の方法。
【請求項２４】
コンタクトデータベース、カレンダ、電子メール送信器または受信器、ディジタル音楽プレーヤ、仕事のリスト、および、無線インターネットブラウザの少なくとも１つを提供する工程を更に備えることを特徴とする請求項１７に記載の方法。
【請求項２５】
前記画像データが、スライドによるプレゼンテーションのデータを含むことを特徴とする請求項１７に記載の方法。
【請求項２６】
インターネット・プロトコル・ブラウザを含む電子表示装置を動作させる方法であって、
画像データとポインタ・コマンドとを、携帯電子装置との有線結合を経ずに該携帯電子装置からインターネット・プロトコル形式で受信する工程であって、前記ポインタ・コマンドが、前記電子表示装置のインターネット・プロトコル・ブラウザのポインタ機能を制御するために利用される工程と、
前記ポインタ・コマンドに応じて、前記画像データを視覚的に提供する工程と
を備えることを特徴とする方法。
【請求項２７】
前記インターネット・プロトコル・ブラウザが、前記携帯電子装置のコントローラをサーバとした場合の、クライアントとして機能するように構成されていることを特徴とする請求項２６に記載の方法。
【請求項２８】
前記画像データを提供する工程が、モニタおよびプロジェクタの少なくとも１つを利用して前記画像データを提供する工程を含むことを特徴とする請求項２６に記載の方法。
【請求項２９】
前記ポインタ・コマンドが、インターネット・プロトコル・ブラウザにおいて前記インターネット・プロトコル形式で受信されることを特徴とする請求項２６に記載の方法。
【請求項３０】
前記ポインタ・コマンドが、インターネット・プロトコル・ブラウザにおいて前記インターネット・プロトコル形式以外の形式で受信されることを特徴とする請求項２６に記載の方法。
【請求項３１】
前記インターネット・プロトコル形式が、ＨＴＭＬおよびＸＭＬの少なくとも１つを含むことを特徴とする請求項２６に記載の方法。
【請求項３２】
前記画像データがスライドによるプレゼンテーションのデータを含むことを特徴とする請求項２６に記載の方法。
【国際調査報告】
2007531391.tif 000006
2007531391.tif 000007
2007531391.tif 000008